(57)【要約】【課題】設置現場にて壁パネルの意匠面に穴加工等の加工を施す位置を示す位置マークを、壁の色柄を問わず、常に視認性の高いものにするために、視認性が高い位置マークを備えた壁パネルを実現する。【解決手段】浴室用の壁パネル１７に、壁パネル１７に取り付けられる部材の取付用の穴加工位置を示す位置マーク１８が印刷されており、この位置マーク１８は、濃色部２５と、淡色部２６と、位置マーク１８の外形に合わせた外周部１９と、を備えてなり、外周部１９と位置マーク１８の中心を通る２本の直線２１で区切られた領域に、濃色部２５と淡色部２６とを交互に配置して形成されている。【選択図】図２
2015183401.tif 000002
【特許請求の範囲】
【請求項１】
壁パネルに取り付けられる取付部材の取付用の穴加工位置を示す位置マークが印刷された浴室用の壁パネルにおいて、位置マークは、位置マークの外形を形成する外周部と濃色部と淡色部を備えてなり、外周部と位置マークの中心を通る２本以上の直線で区切られた領域に、濃色部と淡色部とが交互に配置されていることを特徴とする壁パネル。
【請求項２】
請求項１に記載の壁パネルにおいて、外周部は淡色であることを特徴とする壁パネル。
【請求項３】
請求項２に記載の壁パネルにおいて、外周部の内側に濃色の線が設けられていることを特徴とする壁パネル。
【請求項４】
請求項１ないし３のいずれかに記載の壁パネルにおいて、位置マーク内に、加工する穴サイズが印刷されていることを特徴とする壁パネル。
【請求項５】
請求項１ないし４のいずれかに記載の壁パネルにおいて、濃色部もしくは淡色部またはその両方の色が、穴サイズ毎、または取付部材毎に変更されていることを特徴とする壁パネル。
【請求項６】
請求項１ないし５のいずれかに記載の壁パネルにおいて、外周部の外側に取付部材の穴合わせ位置を示す線が設けられていることを特徴とする壁パネル。
【発明の詳細な説明】
【技術分野】
【０００１】
本発明は、浴室用の壁パネルに関し、特に、浴室用の壁パネルに取り付けられる取付部材の取付用の穴加工位置を示す位置マークが印刷された浴室用の壁パネルに関するものである。
【背景技術】
【０００２】
浴室用の壁パネルには、カウンタ、収納棚、鏡、照明等、浴室の機能として必要な取付部材を取付けるための穴加工が必要である。そのような穴加工は、工場において行う場合と浴室の設置現場において行う場合がある。設置現場で行う場合、従来は、加工する位置を示す図面を見ながら、例えばケガキをして穴加工をするという手順を踏んでいた。
【０００３】
そのようなケガキの場合は、作業工数が増大し、精度の悪化、穴あけミスあるいは忘れ等の問題が発生するために、別手段として、壁パネルに対し穴あけ位置をマーキングしたフィルムを張り付けるなどの方法もある。
【０００４】
そのような一例として、材料の養生面を、格子目盛、位置表示、作業内容表示などを有する面状の養生材で覆い、材料に対する部品、付属品の取付作業、材料相互の組立作業が正確、簡易、かつ、能率よく行なえるようにした技術が知られている（特許文献１参照）。
【０００５】
また、表面に樹脂フィルムがラミネートされた四角形の鋼板から形成された建築用パネル材における壁面となる壁面領域における表面の樹脂フィルムに対し、内装部材取り付け用のねじ止め位置に位置決めマーキングを付与することで、現場における施工時間を大幅に短縮する技術が知られている（特許文献２参照）。
【先行技術文献】
【特許文献】
【０００６】
【特許文献１】特開平７−３１７２０２号公報
【特許文献２】特開２００８−１６３５５０号公報
【発明の概要】
【発明が解決しようとする課題】
【０００７】
上記のとおり、壁パネルに対し穴あけ位置をマーキングする場合、通常、壁パネルの表面に意匠として印刷される色柄は多様であるため、単純な○、×、四角等の印では背景となる色柄によっては視認性が悪く、加工位置の誤認や加工忘れの原因になる恐れがある。
【０００８】
また、上記のように位置表示等を有する養生材を利用して穴あけ加工等する場合は、例えば輸送中等に養生材と壁パネルの間がズレるようなことが生じ、このようなズレが微妙であっても、壁パネルの正確な穴あけ位置に穴加工等を施すことができない可能性もある。
【０００９】
本発明は、上記従来の問題点を解決することを目的とし、浴室用の壁パネルにおいて、設置現場にて壁パネルの意匠面に穴加工等の加工を施す位置を示す位置マークを、壁パネルの色柄を問わず、常に視認性の高いものにするために、視認性が高い位置マークを備えた浴室用の壁パネルを実現することを課題とする。
【課題を解決するための手段】
【００１０】
本発明は上記課題を解決するために、壁パネルに取り付けられる取付部材の取付用の穴加工位置を示す位置マークが印刷された浴室用の壁パネルにおいて、位置マークは、位置マークの外形を形成する外周部と濃色部と淡色部を備えてなり、外周部と位置マークの中心を通る２本以上の直線で区切られた領域に、濃色部と淡色部とが交互に配置されていることを特徴とする壁パネルを提供する。
【００１１】
外周部は淡色であることが好ましい。
【００１２】
外周部の内側に濃色の線が設けられている構成としてもよい。
【００１３】
位置マーク内に、加工する穴サイズが印刷されている構成としてもよい。
【００１４】
濃色部もしくは淡色部またはその両方の色が、穴サイズ毎、または取付部材毎に変更されている構成としてもよい。
【００１５】
外周部の外側に取付部材の穴合わせ位置を示す線が設けられている構成としてもよい。
【発明の効果】
【００１６】
本発明に係る浴室用の壁パネルは、その位置マークを、濃色部と淡色部と位置マークの外形に合わせた外周部を備えたものとし、外周部と位置マークの中心を通る２本以上の直線で区切られた領域に濃色部と淡色部とを交互に配置して形成したので、位置マークは、浴室用の壁パネルがどのような色柄であっても視認性が高くなり、加工位置の誤認や加工忘れの発生を抑制することができ、その結果、設置現場での設置作業の効率および作業精度が向上する。
【図面の簡単な説明】
【００１７】
【図１】本発明に係る浴室用の壁パネルの説明において、本発明の必要性を説明する図である。
【図２】本発明に係る浴室用の壁パネルの実施例の位置マークのいくつかの態様を説明する図である。
【図３】上記実施例の位置マークの別のいくつかの態様を説明する図である。
【図４】上記実施例の位置マークの変形例１を説明する図である。
【図５】上記実施例の位置マークの変形例２を説明する図である。
【図６】上記実施例の位置マークの変形例３を説明する図である。
【発明を実施するための形態】
【００１８】
本発明に係る浴室用の壁パネルを実施するための形態を実施例に基づき図面を参照して、以下説明する。なお、図１〜３において、点線は実際は目視できないが、説明の都合上記載した。
【実施例】
【００１９】
本発明に係る浴室用の壁パネルの実施例およびその変形例を、図１〜５において説明する。図１は、浴室用の壁パネル１（以下、単に「壁パネル」という）に、取付部材２を取り付ける状態を示す図である。図１では、取付部材２を模式的に記載したが、本発明に言う取付部材２とは、例えば、鏡、カウンタ、収納棚、照明、水栓等である。
【００２０】
このように、壁パネル１に取付部材２を取り付ける場合、取付部材２に形成されたねじ等の固着具を挿通する通し穴３に対応して、壁パネル１に固着具を固定する取付用の穴（図示しないが、例えば、ねじ穴、ボルトを挿通する挿通穴等）の加工位置（以下、「取付用の穴加工位置」という）を、示す位置マーク６を、壁パネル１に予め直接印刷しておくと、浴室の組み立てをする設置現場での取り付け作業のための工数が削減され、また取り付けられる取付部材２の位置合わせを正確に行うことが可能となる。
【００２１】
ところで、壁パネル１は、通常、製造段階においてその表面に色や柄（以下、「色柄」という）が印刷される。壁パネル１に色柄と位置マークが同時印刷された場合に、背景となる壁パネル１の色柄の色と位置マークの色との相互の関係で、位置マークの視認性が左右される。
【００２２】
特に、壁パネル１の色柄と位置マークの色が、それぞれ濃色であるか、淡色であるかによって視認性が影響される。本明細書では、「濃色」は色の明度が低く濃い色を言い、「淡色」は白も含め、色の明度が高く淡い色を言う。
【００２３】
図１（ｂ）に示すように、位置マーク７が濃色のみの場合は、壁パネル１の色柄が淡色８の場合は視認性が高いが、図１（ｃ）に示すように、壁パネル１の色柄が濃色９の場合は視認性が低い。
【００２４】
一方、図１（ｄ）に示すように、位置マーク１３が淡色のみの場合は、壁パネル１の色柄が淡色８の場合は視認性が低いが、図１（ｅ）に示すように、壁パネル１の色柄が濃色９の場合は視認性が高い。
【００２５】
本発明の壁パネルは、壁パネル１の色柄が淡色および濃色のいずれの場合でも、視認性が高くなる位置マークが印刷されている構成を特徴とする。この位置マークは、濃色部と、淡色部と、位置マークの外形に合わせた外周部と、を備えてなり、外周部と位置マークの中心を通る２本以上の直線で区切られた領域に、濃色部と淡色部とを交互に配置して形成されている構成を特徴とするものである。
【００２６】
以下、本発明の壁パネルの具体的な構成例について、図２および図３で説明する。本発明の壁パネルは、それぞれ位置マークの態様に特徴を有するものであるから、図２および図３においては、壁パネルの構成の一部、即ち、位置マークとその周囲の構成について示す。
【００２７】
図２（ａ）に示す壁パネル１７は、色柄は濃色９であり、この濃色９を背景に本発明のもっとも基本的な位置マーク１８が印刷されている。この位置マーク１８は、外形が円形であり、外形に合わせた円形で淡色の外周部１９を有し、外周部１９と位置マークの中心を通る互いに直交する２本の直線２１で区切られた４つの扇形の領域に、濃色部２５と淡色部２６とを交互に配置して形成されている。      
【００２８】
この位置マーク１８は、外周部１９の内側（正確には外周部の内周縁）に沿った濃色の線２７（以下、「内周線」という）が設けられている。この壁パネル１は、色柄が濃色９であるが、位置マーク１８は、淡色の外周部１９と、外周部１９の内周線２７の内側に交互に配置された濃色部２５と淡色部２６を備えた構成によって、高い視認性が得られる。
【００２９】
図２（ｂ）に示す壁パネル２９は、色柄は淡色８であり、この淡色８を背景に、図２（ａ）と同じ構成の位置マーク１８が印刷されている。この壁パネル２９では、位置マーク１８のうち、淡色の外周部１９は、淡色８の背景に対して視認しにくいが、外周部１９の内周線２７の内側に交互に配置された濃色部２５と淡色部２６を備えた構成によって、高い視認性が得られる。
【００３０】
図２（ｃ）に示す壁パネル３１は、図２（ａ）に示す壁パネル１において、内周線２７が印刷されていない位置マーク３２を備えた構成に相当する。しかし、この位置マーク３２は、内周線は印刷されていないが、交互に配置された濃色部２５と淡色部２６を備えた構成によって、高い視認性が得られる。
【００３１】
図２（ｄ）に示す壁パネル３３は、色柄は淡色８であり、この淡色８を背景に、図２（ｃ）と同じ構成の位置マーク３２が印刷されている。この位置マーク３２は、内周線２７は印刷されていないが、図２（ｃ）に示す位置マークと同様に、交互に配置された濃色部と淡色部を備えた構成によって、高い視認性が得られる。
【００３２】
図２（ｅ）に示す壁パネル３６は、図２（ａ）に示す壁パネル１７において、外周部１９の外周縁に沿った濃色の線３７（以下、「外周線」という）が印刷された位置マーク３８を備えた構成に相当する。この位置マーク３８は、その外周線３７は、濃色９の背景に対して見えにくいが、図２（ａ）と同様に、高い視認性が得られる。
【００３３】
図２（ｆ）に示す壁パネル４１は、図２（ｂ）に示す壁パネル２９において、外周部１９の外側に沿った濃色の外周線３７が印刷された位置マーク３８を備えた構成に相当する。この位置マーク３８は、内周線２７および外周線３７は、背景となる色柄に対して見えやすく、図２（ｂ）以上に、高い視認性が得られる。
【００３４】
以上のとおり、図２（ａ）〜（ｆ）に示す壁パネル１７、２９、３１、３３、３６、４１においては、いずれも、位置マーク１８、３２、３８は、少なくとも外周部と位置マークの中心を通る互いに直交する２本の直線で区切られた４つの扇形の領域に、濃色部２５と淡色部２６とを交互に配置して形成されているので、背景となる壁パネルの色柄が濃色９でも淡色８でも、高い視認性が得られる。
【００３５】
加えて、外周部１９を設けることで、さらには外周部１９に濃色の内周線２７および外周線３７の両方またはいずれ一方かを設けることで、壁パネル１の色柄に応じて、より高い視認性が得られる。なお、図２に示す壁パネル１においては、いずれも、外周部１９は淡色としたが、外周部１９は濃色の構成でもよい。
【００３６】
図２（ａ）に示す位置マーク１８は、外周部１９と位置マーク１８の中心を通る互いに直交する２本の直線で区切られた４つの扇形の領域に、濃色部２５と淡色部２６とを交互に配置して形成されている構成である。
【００３７】
しかしながら、淡色部２６（または濃色部２５）はその全領域について淡色（または濃色）である必要はなく濃色（または淡色）が含まれていてもよく、位置マーク全体が、背景の色柄において視認性が得られる構成であればよい。そのような態様の壁パネル４４、５１を図３（ａ）、（ｂ）に示す。
【００３８】
図３（ａ）に示す壁パネル４４は、色柄は濃色９である。この濃色９を背景に設けた位置マーク４５は、図２（ａ）に示す位置マーク１７と同様に交互に扇形の濃色部と淡色部を設け、淡色部４６は、半径方向に四半円である濃色曲線４７と淡色曲線４８を交互に印刷して成る構成とした。
【００３９】
図３（ｂ）に示す壁パネル５１は、色柄（色柄）は淡色８であり、この淡色８を背景に、図３（ａ）と同じ構成の位置マーク４５が印刷されている。
【００４０】
ところで、図２に示す壁パネルにおいては、位置マークの外形が円形の構成について説明したが、外形は円形に限定されることはなく、四角形、六角形等、別の形状でもよい。そのような態様の壁パネルを図３（ｃ）〜（ｆ）に示す。
【００４１】
図３（ｃ）に示す壁パネル５５は、色柄は濃色９であり、位置マーク５６は、その外形が矩形であり、外形に合わせた矩形の外周部５７と、外周部５７と位置マーク５６の中心を通る互いに直交する２本の直線６０で区切られた４つの三角形の領域に、濃色部６１と淡色部６２とを交互に配置して形成されている。
【００４２】
図３（ｄ）に示す壁パネル６４は、色柄（色柄）は淡色８であり、この淡色８を背景に、図３（ｃ）と同じ構成の位置マーク５６が印刷されている。なお、外周部５７に濃色の内周線および外周線の両方またはいずれか一方を設けてもよいし、また、外周部５７は淡色ではなく濃色としてもよい。
【００４３】
図３（ｅ）に示す壁パネル６８は、色柄は濃色９であり、位置マーク６９の外形が六角形であり、外形に合わせた六角形の外周部７０と、外周部７０と位置マーク６９の中心を通る互いに直交する３本の直線７３で区切られた６つの三角形の領域に、濃色部７４と淡色部７５とを交互に配置して形成されている。
【００４４】
図３（ｆ）に示す壁パネル７１は、色柄（色柄）は淡色であり、この淡色を背景に、図３（ｅ）と同じ構成の位置マーク６９が印刷されている。なお、外周部７０に濃色の内周線および外周線の両方またはいずれか一方を設けてもよいし、また、外周部７０は淡色ではなく濃色としてもよい。
【００４５】
（変形例）
図１〜３に示す壁パネルは、いろいろな態様の位置マークを印刷したものであるが、さらに、このような位置マークに各種の機能を付加して成る壁パネルの変形例を説明する。
【００４６】
変形例１：
図４（ａ）〜（ｃ）に示す壁パネル８１、８２、８３は、それぞれ図２（ａ）に示す壁パネルの変形例１である。これらの壁パネルの位置マーク８６、８７、８８は、それぞれ図２（ａ）の位置マーク１８において、淡色部２６に穴加工する穴サイズが印刷されている構成に相当する。具体的には、例えば、壁パネル８１、８２、８３に穴加工する穴径３０、２５、１０（単位はｍｍ）が印刷されている。
【００４７】
このように図４（ａ）〜（ｃ）に示す壁パネル８１、８２、８３は、それぞれ位置マーク８６、８７、８８に穴サイズが印刷されているので、設置作業において穴あけドリルの選択が容易となり、作業性を高めることができる。
【００４８】
図４（ｄ）〜（ｆ）に示す壁パネル９１、９２、９３は、それぞれ図４（ａ）〜（ｃ）に示す壁パネルにおいて、濃色部および淡色部の両方について、またはいずれか一方について、穴サイズ毎に異なる色が印刷されている構成に相当する。
【００４９】
図４（ｄ）〜（ｆ）はカラー図面でないために明示されないが、位置マーク９６、９７、９８は、実際には、穴サイズが印刷されている淡色部２６の色を変えている。なお、位置マークは、取り付けるべき取付部材毎に異なる色が印刷されている構成としてもよい。
【００５０】
変形例２：                                  
壁パネルの別の変形例２を図５（ａ）、（ｂ）に示す。壁パネルに取付部材の取付作業を行うためには、壁パネルに穴加工をして得られる取付用の穴に、取付部材に形成されている通し穴（例えば、ねじを通す通し穴）を同心的に合わせる必要がある。
【００５１】
しかしながら、取付部材の通し穴を壁パネルの取付用の穴に同心的に合わせることは、面倒である。そこで、本発明では、図２〜図４にそれぞれ示す壁パネルにおいて、位置マークの外周部の外側に、穴合わせ線を印刷した。取付部材の通し穴をこの穴合わせ線にあわせることで、取付部材の通し穴を取付用の穴に同心的に合わせることができる。
【００５２】
例えば、図５（ａ）、（ｂ）に示す壁パネル１０１は、図２（ｆ）に示す壁パネル４１の変形例であり、位置マーク３８の外周線３７の外側（正確には外周部１９の外周縁の外側）に、濃色の円形の穴合わせ線１０６が印刷されている。この穴合わせ線１０６は、取付部材１０２の通し穴１０３を、壁パネル１０１の取付用の穴１０４に同心的に合わせるために役立つ。
【００５３】
即ち、壁パネル１０１に取付部材１０２の取付作業を行う際に、図５（ｂ）に示すように、取付部材１０２に形成されている通し穴１０３を、壁パネル１０１に印刷された穴合わせ線１０６に合わせれば、取付部材の通し穴１０３を、壁パネル１０１に穴加工された取付用の穴１０４に同心的に配置することが可能となる。
【００５４】
変形例３：
図６（ａ）に示す壁パネル１１１は、取り付けるべき部材のうち関連性の高いものを取り付けるための位置マークが、中心線で結ばれている構成を特徴とする。具体的には、図６（ｂ）、（ｃ）に示すように、壁パネル１１１に鏡１１２が取り付けられる場合に、取付部材として鏡１１２を上下から支持する上部支持部材１１３と下部支持部材１１４を取り付ける。
【００５５】
そのために、壁パネル１１１には、図６（ａ）に示すように、上部支持部材１１３の取付のための上部左右の位置マーク１１７と下部支持部材１１４の取り付けのための下部左右の位置マーク１１８が印刷されている。
【００５６】
さらに、上部左右の位置マーク１１７を互いに結ぶ中心線１１９、下部左右の位置マーク１１８を互いに結ぶ中心線１２０、および上部左右の位置マーク１１７と下部左右の位置マーク１１９をそれぞれ結ぶ中心線１２１が印刷されている。
【００５７】
壁パネル１１１は、取り付けるべき部材のうち関連性の高いものを取り付けるための位置マークが、中心線で結ばれているので、現場での設置作業がし易く、作業効率があがり、しかも取付部材の取付ミスが防止できる。
【００５８】
以上、本発明に係る浴室用の壁パネルを実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００５９】
本発明に係る本発明に係る浴室用の壁パネルは、浴室用の壁パネルだけでなく、キッチン、居室等、異なる場所の壁パネルとしても使用できる。
【符号の説明】
【００６０】
１、１７、２９、３１、３３、３６、４１、４４、５１、５５、６４、６８、７１、８１、８２、８３、９１、９２、９３、１０１、１１１  壁パネル
２、１０２  取付部材
３、１０３  取付部材の通し穴
６、１８、３２、３８、４５、５６、６９、８６、８７、８８、９６、９７、９８  位置マーク
７  濃色の位置マーク
８  淡色
９  濃色
１３  淡色の位置マーク
１９、５７、７０  外周部
２１、６０、７３  位置マークの中心を通る直線
２５、６１、７４  濃色部
２６、４６、６２、７５  淡色部
２７  外周部の内周線
３７  外周部の外周線
４７  濃色曲線
４８  淡色曲線
１０４  取付用の穴
１０６  穴合わせ線
１１２  鏡
１１３  上部支持部材
１１４  下部支持部材
１１７  上部左右の位置マーク
１１８  下部左右の位置マーク
１１９  上部左右の位置マークを互いに結ぶ中心線
１２０  下部左右の位置マークを互いに結ぶ中心線
１２１  上部左右の位置マーク中心線と下部左右の位置マークを結ぶ中心線
【図５】
2015183401.tif 000003
【図６】
2015183401.tif 000004
【図１】
2015183401.tif 000005
【図２】
2015183401.tif 000006
【図３】
2015183401.tif 000007
【図４】
2015183401.tif 000008